【手続補正書】
【提出日】平成17年5月26日(2005.5.26)
【手続補正１】
【補正対象書類名】明細書
【補正対象項目名】発明の名称
【補正方法】変更
【補正の内容】
【発明の名称】液体燃料電池及び液体燃料電池用外部タンク
【手続補正２】
【補正対象書類名】明細書
【補正対象項目名】特許請求の範囲
【補正方法】変更
【補正の内容】
【特許請求の範囲】
【請求項１】
酸素を還元する正極と、燃料を酸化する負極と、前記正極と前記負極との間に設けられた電解質層と、液体燃料貯蔵部とを備えた液体燃料電池であって、
前記液体燃料貯蔵部は、開口部を備え、
前記液体燃料貯蔵部の開口部は、開閉可能な弁を備え、
前記開口部の弁は、外部から押圧されることにより開放され、
前記液体燃料貯蔵部は、前記開口部の弁が開放されることにより液体燃料の供給または排出が可能となることを特徴とする液体燃料電池。
【請求項２】
本体部と外部タンクとを含み、前記本体部は、酸素を還元する正極と、燃料を酸化する負極と、前記正極と前記負極との間に設けられた電解質層と、液体燃料貯蔵部とを備え、前記外部タンクは、液体燃料を収容可能に形成されている液体燃料電池であって、
前記本体部と前記外部タンクとは着脱可能に形成され、
前記本体部の液体燃料貯蔵部と前記外部タンクとはそれぞれ開口部を備え、
前記本体部の開口部と前記外部タンクの開口部とは、それぞれ開閉可能な弁およびストッパーを備え、
前記本体部の弁と前記外部タンクの弁とは、相互に当接して押圧されることにより開放され、
液体燃料が流入する側の前記弁の開放圧力が、液体燃料が流出する側の前記弁の開放圧力より小さく設定されていることを特徴とする液体燃料電池。
【請求項３】
前記外部タンクが液体燃料を供給するための供給タンクであり、前記本体部の弁の開放圧力が前記供給タンクの弁の開放圧力より小さく設定されている請求項２に記載の液体燃料電池。
【請求項４】
前記外部タンクが液体燃料を排出するための排出タンクであり、前記本体部の弁の開放圧力が前記排出タンクの弁の開放圧力より大きく設定されている請求項２に記載の液体燃料電池。
【請求項５】
開放前の前記本体部の弁と、開放前の前記外部タンクの弁とは、それぞれ環状の液体燃料封止部に押圧されている請求項２〜４のいずれかに記載の液体燃料電池。
【請求項６】
前記外部タンクの外装部には、環状部材が配置されている請求項２〜５のいずれかに記載の液体燃料電池。
【請求項７】
前記液体燃料封止部および前記環状部材が、シリコーンゴム、フッ素ゴム、ブチルゴム、ウレタンゴム、ポリプロピレン、ナイロンおよびポリエチレンからなる群から選択された少なくとも１種類からなる請求項５または６に記載の液体燃料電池。
【請求項８】
前記本体部の開口部の外側および前記外部タンクの開口部の外側から選択される少なくとも一方には、保液スリットが設けられている請求項２〜７のいずれかに記載の液体燃料電池。
【請求項９】
前記本体部には、前記外部タンクを挿入可能な挿入口が備えられている請求項２〜８のいずれかに記載の液体燃料電池。
【請求項１０】
前記本体部の開口部が前記本体部の挿入口の内部に設けられ、前記挿入口の直径が１０ｍｍ以下である請求項９に記載の液体燃料電池。
【請求項１１】
前記本体部の挿入口の周辺に開閉式シャッタを設けた請求項９または１０に記載の液体燃料電池。
【請求項１２】
前記外部タンクは、その外面部に凸部を備え、前記本体部の挿入口の内面部には凹部を備え、前記凸部と前記凹部とが嵌合する請求項９〜１１のいずれかに記載の液体燃料電池。
【請求項１３】
前記外部タンクは、その外面部に凹部を備え、前記本体部の挿入口の内面部には凸部を備え、前記凸部と前記凹部とが嵌合する請求項９〜１１のいずれかに記載の液体燃料電池。
【請求項１４】
前記本体部の挿入口の内面部に備えられた凸部の位置が、前記外部タンクの種類に応じて変更可能な請求項１３に記載の液体燃料電池。
【請求項１５】
前記正極と、前記負極と、前記電解質層とが、電極・電解質一体化物を構成し、前記電極・電解質一体化物が同一平面上に配置されている請求項１〜１４のいずれかに記載の液体燃料電池。
【請求項１６】
前記電極・電解質一体化物を複数備え、前記電極・電解質一体化物の各電解質層が、相互に連続した一体化物として形成されている請求項１５に記載の液体燃料電池。
【請求項１７】
液体燃料を含浸して保持し且つ前記負極に前記液体燃料を供給する液体燃料含浸部を備え、前記液体燃料含浸部が前記負極と接する部分に配置されている請求項１〜１６のいずれかに記載の液体燃料電池。
【請求項１８】
前記液体燃料貯蔵部および前記外部タンクから選択される少なくとも一つが、気液分離孔を備え、前記気液分離孔には気液分離膜が配置されている請求項１〜１７のいずれかに記載の液体燃料電池。
【請求項１９】
本体部と外部タンクとを含み、前記本体部は、酸素を還元する正極と、燃料を酸化する負極と、前記正極と前記負極との間に設けられた電解質層と、液体燃料貯蔵部とを備え、前記外部タンクは、液体燃料を収容可能に形成されている液体燃料電池であって、
前記本体部と前記外部タンクとは着脱可能に形成され、
前記本体部の液体燃料貯蔵部と前記外部タンクとはそれぞれ開口部を備え、
前記本体部の開口部と前記外部タンクの開口部とは、それぞれ開閉可能な弁を備え、
前記外部タンクから前記本体部に液体燃料を供給させる際には、前記本体部の開口部と前記外部タンクの開口部とは接続され、前記本体部の弁は前記外部タンクの弁よりも先に開放されることを特徴とする液体燃料電池。
【請求項２０】
本体部と外部タンクとを含み、前記本体部は、酸素を還元する正極と、燃料を酸化する負極と、前記正極と前記負極との間に設けられた電解質層と、液体燃料貯蔵部とを備え、前記外部タンクは、液体燃料を収容可能に形成されている液体燃料電池であって、
前記本体部と前記外部タンクとは着脱可能に形成され、
前記本体部の液体燃料貯蔵部と前記外部タンクとはそれぞれ開口部を備え、
前記本体部の開口部と前記外部タンクの開口部とは、それぞれ開閉可能な弁を備え、
前記本体部から前記外部タンクに液体燃料を排出させる際には、前記本体部の開口部と前記外部タンクの開口部とは接続され、前記外部タンクの弁は前記本体部の弁よりも先に開放されることを特徴とする液体燃料電池。
【請求項２１】
酸素を還元する正極と、燃料を酸化する負極と、前記正極と前記負極との間に設けられた電解質層と、開閉可能な弁を備えた開口部を有する液体燃料貯蔵部とを備えた液体燃料電池に、液体燃料を供給させる液体燃料電池用外部タンクであって、
前記液体燃料貯蔵部の開口部と接続・分離可能な開口部を備え、
前記液体燃料電池用外部タンクの開口部は、開閉可能な弁を備え、
前記液体燃料電池用外部タンクの弁は、前記液体燃料貯蔵部の弁が開放された後に開放されることを特徴とする液体燃料電池用外部タンク。
【請求項２２】
酸素を還元する正極と、燃料を酸化する負極と、前記正極と前記負極との間に設けられた電解質層と、開閉可能な弁を備えた開口部を有する液体燃料貯蔵部とを備えた液体燃料電池から、液体燃料を排出させる液体燃料電池用外部タンクであって、
前記液体燃料貯蔵部の開口部と接続・分離可能な開口部を備え、
前記液体燃料電池用外部タンクの開口部は、開閉可能な弁を備え、
前記液体燃料電池用外部タンクの弁は、前記液体燃料貯蔵部の弁が開放される前に開放されることを特徴とする液体燃料電池用外部タンク。
【手続補正３】
【補正対象書類名】明細書
【補正対象項目名】０００１
【補正方法】変更
【補正の内容】
【０００１】
【発明の属する技術分野】
本発明は燃料として液体を用いた液体燃料電池と液体燃料電池用外部タンクに関する。
【手続補正４】
【補正対象書類名】明細書
【補正対象項目名】００１１
【補正方法】変更
【補正の内容】
【００１１】
本発明は、液体燃料の供給および排出を液漏れすることなく確実に行うことができる液体燃料電池と液体燃料電池用外部タンクを提供する。
【手続補正５】
【補正対象書類名】明細書
【補正対象項目名】００１２
【補正方法】変更
【補正の内容】
【００１２】
【課題を解決するための手段】
本発明の第１の液体燃料電池は、酸素を還元する正極と、燃料を酸化する負極と、前記正極と前記負極との間に設けられた電解質層と、液体燃料貯蔵部とを備えた液体燃料電池であって、
前記液体燃料貯蔵部は、開口部を備え、
前記液体燃料貯蔵部の開口部は、開閉可能な弁を備え、
前記開口部の弁は、外部から押圧されることにより開放され、
前記液体燃料貯蔵部は、前記開口部の弁が開放されることにより液体燃料の供給または排出が可能となることを特徴とする。
【手続補正６】
【補正対象書類名】明細書
【補正対象項目名】００１３
【補正方法】変更
【補正の内容】
【００１３】
また、本発明の第２の液体燃料電池は、本体部と外部タンクとを含み、前記本体部は、酸素を還元する正極と、燃料を酸化する負極と、前記正極と前記負極との間に設けられた電解質層と、液体燃料貯蔵部とを備え、前記外部タンクは、液体燃料を収容可能に形成されている液体燃料電池であって、
前記本体部と前記外部タンクとは着脱可能に形成され、
前記本体部の液体燃料貯蔵部と前記外部タンクとはそれぞれ開口部を備え、
前記本体部の開口部と前記外部タンクの開口部とは、それぞれ開閉可能な弁およびストッパーを備え、
前記本体部の弁と前記外部タンクの弁とは、相互に当接して押圧されることにより開放され、
液体燃料が流入する側の前記弁の開放圧力が、液体燃料が流出する側の前記弁の開放圧力より小さく設定されていることを特徴とする。
【手続補正７】
【補正対象書類名】明細書
【補正対象項目名】００１４
【補正方法】変更
【補正の内容】
【００１４】
また、本発明の第３の液体燃料電池は、本体部と外部タンクとを含み、前記本体部は、酸素を還元する正極と、燃料を酸化する負極と、前記正極と前記負極との間に設けられた電解質層と、液体燃料貯蔵部とを備え、前記外部タンクは、液体燃料を収容可能に形成されている液体燃料電池であって、
前記本体部と前記外部タンクとは着脱可能に形成され、
前記本体部の液体燃料貯蔵部と前記外部タンクとはそれぞれ開口部を備え、
前記本体部の開口部と前記外部タンクの開口部とは、それぞれ開閉可能な弁を備え、
前記外部タンクから前記本体部に液体燃料を供給させる際には、前記本体部の開口部と前記外部タンクの開口部とは接続され、前記本体部の弁は前記外部タンクの弁よりも先に開放されることを特徴とする。
また、本発明の第４の液体燃料電池は、本体部と外部タンクとを含み、前記本体部は、酸素を還元する正極と、燃料を酸化する負極と、前記正極と前記負極との間に設けられた電解質層と、液体燃料貯蔵部とを備え、前記外部タンクは、液体燃料を収容可能に形成されている液体燃料電池であって、
前記本体部と前記外部タンクとは着脱可能に形成され、
前記本体部の液体燃料貯蔵部と前記外部タンクとはそれぞれ開口部を備え、
前記本体部の開口部と前記外部タンクの開口部とは、それぞれ開閉可能な弁を備え、
前記本体部から前記外部タンクに液体燃料を排出させる際には、前記本体部の開口部と前記外部タンクの開口部とは接続され、前記外部タンクの弁は前記本体部の弁よりも先に開放されることを特徴とする。
また、本発明の液体燃料電池用外部タンクは、酸素を還元する正極と、燃料を酸化する負極と、前記正極と前記負極との間に設けられた電解質層と、開閉可能な弁を備えた開口部を有する液体燃料貯蔵部とを備えた液体燃料電池に、液体燃料を供給させる液体燃料電池用外部タンクであって、
前記液体燃料貯蔵部の開口部と接続・分離可能な開口部を備え、
前記液体燃料電池用外部タンクの開口部は、開閉可能な弁を備え、
前記液体燃料電池用外部タンクの弁は、前記液体燃料貯蔵部の弁が開放された後に開放されることを特徴とする。
さらに、本発明の他の液体燃料電池用外部タンクは、酸素を還元する正極と、燃料を酸化する負極と、前記正極と前記負極との間に設けられた電解質層と、開閉可能な弁を備えた開口部を有する液体燃料貯蔵部とを備えた液体燃料電池から、液体燃料を排出させる液体燃料電池用外部タンクであって、
前記液体燃料貯蔵部の開口部と接続・分離可能な開口部を備え、
前記液体燃料電池用外部タンクの開口部は、開閉可能な弁を備え、
前記液体燃料電池用外部タンクの弁は、前記液体燃料貯蔵部の弁が開放される前に開放されることを特徴とする。